(57)【要約】【課題】折り畳み式またはスライド式の携帯電話において、通話時に画像表示部を顔に接触させることのない携帯電話を提供することを課題とするものである。【解決手段】  受話部および画像表示部を備えた第１の筐体と、操作スイッチおよび送話部を備えた第２の筐体とを回動可能に連結した折り畳み式の携帯電話であって、前記受話部を、前記第１の筐体の端部において前記画像表示部よりも突出した膨出部に設けたことを特徴とする。また、受話部および画像表示部を備えた第１の筐体と、操作スイッチおよび送話部を備えた第２の筐体とを互いに摺動可能となるようにスライド式に連結したスライド式の携帯電話であって、前記受話部を、前記第１の筐体の端部において前記画像表示部よりも突出した膨出部に設けたことを特徴とする。【選択図】図１
2011124964.tif 000002
【特許請求の範囲】
【請求項１】
受話部および画像表示部を備えた第１の筐体と、操作スイッチおよび送話部を備えた第２の筐体とを回動可能に連結した折り畳み式の携帯電話であって、
前記受話部を、前記第１の筐体の端部において前記画像表示部よりも突出した膨出部に設けたことを特徴とする携帯電話。
【請求項２】
受話部および画像表示部を備えた第１の筐体と、操作スイッチおよび送話部を備えた第２の筐体とを互いに摺動可能となるようにスライド式に連結したスライド式の携帯電話であって、
前記受話部を、前記第１の筐体の端部において前記画像表示部よりも突出した膨出部に設けたことを特徴とする携帯電話。
【請求項３】
前記送話部を、前記第２の筐体の端部において移動可能となるように設けたことを特徴とする請求項１または請求項２記載の携帯電話。
【発明の詳細な説明】
【技術分野】
【０００１】
本発明は、携帯電話に関する。
【背景技術】
【０００２】
現在使用されている携帯電話の多くは、折り畳み型である。すなわち、特許文献１に掲載されているような、受話部を構成する筐体と送話部を構成する筐体とを屈曲可能に連結した形式のものである。そして、前記受話部を構成する筐体は画像表示部を兼ねた平板状を成したものであり、送話部を構成する筐体は押しボタン等の操作部を兼ねた平板状を成したものである。
【先行技術文献】
【特許文献】
【０００３】
【特許文献１】特開２００６−１６９７２６号公報
【発明の概要】
【発明が解決しようとする課題】
【０００４】
上記折り畳み式の携帯電話は、通話時に受話部を耳に当てると画像表示部が耳から頬全体に亘って接触することになり、皮脂や化粧類が画像表示部の表面に付着して画像表示部を汚してしまうという問題があった。本発明は当該事情に鑑み発明されたものであって、折り畳み式でありながら通話時に画像表示部を顔に接触させることのない携帯電話を提供することを課題とするものである。
また、携帯電話の形態がスライド式であって、通話時に画像表示部を顔に接触させることのない携帯電話を提供することを課題とするものである。
さらに、上記折り畳み式またはスライド式の携帯電話であって、通話時に操作スイッチを設けた送話部を有する筐体部分が、顔に接触しにくい携帯電話を提供することを課題とするものである。
【課題を解決するための手段】
【０００５】
上記課題を解決するために、本発明は以下の構成を有する。すなわち、
受話部および画像表示部を備えた第１の筐体と、操作スイッチおよび送話部を備えた第２の筐体とを回動可能に連結した折り畳み式の携帯電話であって、前記受話部を、前記第１の筐体の端部において前記画像表示部よりも突出した膨出部に設けたことを特徴とする。
【０００６】
また、本発明は以下の構成を有する。すなわち、
受話部および画像表示部を備えた第１の筐体と、操作スイッチおよび送話部を備えた第２の筐体とを互いに摺動可能となるようにスライド式に連結したスライド式の携帯電話であって、前記受話部を、前記第１の筐体の端部において前記画像表示部よりも突出した膨出部に設けたことを特徴とする。
【０００７】
また、本発明は以下の構成を有する。すなわち、
上記折り畳み式の携帯電話またはスライド式の携帯電話であって、前記送話部を、前記第２の筐体の端部において移動可能となるように設けたことを特徴とする。
【発明の効果】
【０００８】
本発明は折り畳み式の携帯電話であって、受話部を画像表示部よりも突出した膨出部に設けているので、通話時に頬が画像表示部に接触せず画像表示部を汚さないという効果を有している。
また、他の実施例に係るスライド式の携帯電話も同様に、受話部を画像表示部よりも突出した膨出部に設けているので、通話時に頬が画像表示部に接触せず画像表示部を汚さないという効果を有している。
また、本発明に係る携帯電話は、筐体を口元に近づけることなく送話部のみを口元に近づけることができるように、送話部を筐体から引き出すことができるように構成することができる。当該構成を採用した場合、送話部を口元近くまで移動させることによって口元と筐体との間隔を近接させる必要がなくなり、上記画像表示部を汚さないという効果に加えて、送話部を有する筐体部分をも汚さないという効果を有するものとなっている。
【図面の簡単な説明】
【０００９】
【図１】本発明に係る携帯電話の展開した状態の正面図および側面図である。
【図２】本発明に係る携帯電話の折り畳んだ状態の側面図である。
【図３】本発明に係るスライド式の携帯電話の説明図である。
【図４】本発明に係る携帯電話の他の実施例に係る携帯電話の説明図である。
【発明を実施するための形態】
【００１０】
以下、本発明を実施するための形態に関しその一例を図面を用いて説明する。
図１は、第１の実施例に係る携帯電話１の展開した状態の正面図（ａ）および側面図（ｂ）を表している。また、図２は折り畳んだ状態の携帯電話１の側面図を表している。
当該携帯電話１は、受話部２および画像表示部３を備えた第１の筐体４と、操作スイッチ５および送話部６を備えた第２の筐体７によって構成されている。第１の筐体４と第２の筐体７は、ヒンジ部８において回動可能に連結されており、図１に示す展開した状態と図２に示す折り畳んだ状態とに可逆的に変形させることができるようになっている。
【００１１】
第１の筐体４は、ＬＣＤにより形成した画像表示部３を設けた板状に形成した部分と、先端部において画像表示部３側に突出するように形成した膨出部９を有している。膨出部９は、外耳道の入り口を覆うことができる程度の面積を有した耳との当接面を有しており、当該当接面の内側に受話部２を構成するスピーカーを内蔵したものとなっている。画像表示部３に対する膨出部９の高さは、概ね板状に形成された第２の筐体７の肉厚程度に形成されている。すなわち、膨出部９の高さが折り畳んだ際の第２の筐体７の裏面の高さとほぼ一致し、第２の筐体７の裏面よりも突出しないように形成されたものとなっている。
【００１２】
また、屈曲部を構成するヒンジ部８から膨出部９までの距離は、ヒンジ部８から第２の筐体７の端部までの長さよりもやや長くなるように設定されている。すなわち、第１の筐体４と第２の筐体７を折り畳んだ際に、膨出部９と第２の筐体７が干渉することなく平行状態となるように重ね合わされ、かつ膨出部９と第２の筐体７との間隔が開きすぎない関係となるように形成されている。
上記の構造を採用することにより、膨出部９を有する筐体でありながら、未使用時には当該膨出部９が突出せず従来の携帯電話と同様にコンパクトに折り畳むことができるという効果を有するものとなっている。
【００１３】
第２の筐体７の表面には、前記操作スイッチ５および送話部６が設けられている。操作スイッチ５は電源スイッチ、テンキー、各種ファンクションキー等によって構成され、送話部６は端部付近に内蔵されたマイクによって構成されている。
【００１４】
上記構成の携帯電話１は、膨出部９に受話部２を設けているので、受話部２を耳に当てても、膨出部９が画像表示部３と顔の頬と間に間隔を設ける作用を有するので、画像表示部３と顔の頬が接触しにくい構造となっている。顔の頬部と画像表示部３が接触すると、画像表示部３に皮脂や化粧などが付着してしまい画像表示部３を汚すことになってしまう。本実施の形態に係る携帯電話１は、前記膨出部９によって画像表示部３と顔の頬を遠ざけるような間隔を設けることができるので画像表示部３を汚しにくいという効果を有している。
【００１５】
図３は、携帯電話に関する第２の実施例を表している。当該実施例に係る携帯電話１ａは、受話部２ａおよび画像表示部３ａを備えた第１の筐体４ａと、操作スイッチ５ａおよび送話部６ａを備えた第２の筐体７ａとを、平行状態を保ったまま互いに摺動可能となるようにスライド式に連結した携帯電話となっている。また、前記受話部２ａは、前記第１の筐体４ａの端部において前記画像表示部３ａよりも突出するように形成した膨出部９ａ内に設けている。
【００１６】
第２の筐体７ａは、第１の筐体４ａの下端部に設けた保持部１０において摺動可能となるように保持されており、図３（ａ）に示す全長を縮めた状態と図３（ｂ）に示す全長を長くした状態とを可逆的に変形させることができるようになっている。
膨出部９ａは、外耳道の入り口を覆うことができる程度の面積を有する耳との当接面を有しており、当該当接面の内側に受話部２ａを構成するスピーカーを内蔵したものとなっている。当該膨出部９ａの高さは、第２の筐体７ａ表面の高さとほぼ一致するように形成されている。
また、全長を縮めた状態において、膨出部９ａと第２の筐体７ａ上端部との間隔は極僅かとなるように近接して配置されるようになっている。
上記の構造を採用することにより、膨出部９ａを有する筐体でありながら、未使用時には当該膨出部９ａが突出せず従来の携帯電話と同様にコンパクトな形態に縮めることができるという効果を有するものとなっている。
【００１７】
図４は、携帯電話に関する第３の実施例を表している。当該実施例に係る携帯電話２０は、送話部の構造を除き前記携帯電話１と共通の構造を有している。すなわち、携帯電話２０は、受話部２および画像表示部３を備えた第１の筐体４と、操作スイッチ５を備えた第２の筐体７を有している。
そして、第１の筐体４と第２の筐体７は、ヒンジ部８において回動可能に連結されている。携帯電話２０が備える前記携帯電話１と共通する各手段は、当該携帯電話１と同様の作用および効果を有するものである。すなわち、携帯電話２０は、使用時に膨出部９によって画像表示部３と顔の頬を遠ざけるような間隔を設けることができるので画像表示部３を汚しにくいという効果を有しており、未使用時には当該膨出部９が突出せず従来の携帯電話と同様にコンパクトに折り畳むことができるという効果を有するものである。
【００１８】
前記携帯電話１とは構造が異なる携帯電話２０の送話部２１は、第２の筐体７の端部に設けられているものであるが、第２の筐体７から引き離した位置まで移動できるように構成されている。図４（ａ）は送話部２１を第２の筐体７に収容している状態、図４（ｂ）は送話部２１を第２の筐体７から引き出し、第２の筐体７から離した状態を表している。
送話部２１は、連結体２２によって第２の筐体７と接続されており、第２の筐体７に収容している状態では、見かけ上は前記携帯電話１と同様にほぼ第２の筐体７と一体化している。そして、図４（ｂ）に示すように送話部２１を第２の筐体７から引き出すと、連結体２２によって制限される突出量の範囲で送話部２１を引き出せるようになっている。
送話部２１の収容および引き出しは、使用者の好みによって任意に行うことができるようになっている。また、連結体２２を可撓性のあるフレキシブルパイプによって形成することで連結体２２を曲げて送話部２１の位置を口元に近づけるなど、送話部２１を自由な位置に配置することができるようになっている。
なお、連結体２２には、径の異なるパイプを入れ子式に伸縮可能に連結した伸縮アンテナのような手段や、蛇腹状の可撓性パイプを用いてもよい。
【００１９】
上記第３の実施例に係る携帯電話２０は、上述したように送話部２１を筐体から引き出して口元に近づけることができるようになっている。そうすることによって、第２の筐体７に口を近づけなくてもよくなり、携帯電話１を頬から離した状態のまま通話ができるようになっている。そして、前記突出した膨出部９の作用とも相まって携帯電話１の画像表示部３を頬との接触によって汚すことがなく、操作スイッチ５を設けた部分の汚れも軽減することができるようになっている。
【００２０】
上記折り畳み式の携帯電話に設けた第３の実施例に係る送話部２１の構造は、図３に示す前述したスライド式の携帯電話１ａにも用いることができるものとなっている。
そして、当該スライド式の携帯電話１ａに適用した場合には、送話部を筐体から引き出して口元に近づけることができるようになり、第２の筐体に口を近づけなくても携帯電話を頬から離した状態のまま通話ができるようになる。そして、突出した膨出部の作用とも相まって携帯電話の画像表示部を頬との接触によって汚すことがなく、操作スイッチを設けた部分の汚れも軽減することができるという効果を有するものである。
【産業上の利用可能性】
【００２１】
本発明は、携帯電話に利用可能である。
【符号の説明】
【００２２】
１  携帯電話
２  受話部
３  画像表示部
４  第１の筐体
５  操作スイッチ
６  送話部
７  第２の筐体
８  ヒンジ部
９  膨出部
２０  携帯電話
２１  送話部
２２  連結体
【図１】
2011124964.tif 000003
【図２】
2011124964.tif 000004
【図３】
2011124964.tif 000005
【図４】
2011124964.tif 000006